(57)【特許請求の範囲】
【請求項１】
検索画面情報を表示する表示手段と、
前記検索画面情報に複数の検索条件を入力可能な入力手段と、
前記検索条件に関連する検索内容情報を有する２以上のデータによって構成されるデータベースを有し、入力された検索条件に合致するデータを取得する情報処理手段と、を備えた検索画面情報処理システムが、
前記情報処理手段の処理に基づき前記検索画面情報に取得されたデータを表示させる検索画面情報の表示方法であって、
前記データは、印刷用のコンテンツを面付け可能な型を有する面付テンプレートであり、
前記検索内容情報は、前記面付テンプレートの印刷に供される印刷条件であり、
前記検索画面情報として、前記複数の検索条件に対応した前記印刷条件を入力可能な複数のダイアログボックスを並べて表示し、
前記複数のダイアログボックスのうち未だ選択されていないダイアログボックスを介して１つずつ順次入力された、少なくとも１つの前記印刷条件に基づき前記データベースの中から合致するデータを表示し、
前記印刷条件に基づく識別ラベルを有する記号画像情報を形成して、前記複数の検索条件の入力順に従って１つずつ階層を構築し、該階層に基づき複数の前記記号画像情報を表示する
ことを特徴とする検索画面情報の表示方法。
【請求項２】
請求項１記載の検索画面情報の表示方法において、
前記検索画面情報として、前記２以上のデータの特徴を識別可能な画像情報をさらに表示する
ことを特徴とする検索画面情報の表示方法。
【請求項３】
請求項２記載の検索画面情報の表示方法において、
前記識別可能な画像情報は縮小表示可能である
ことを特徴とする検索画面情報の表示方法。
【請求項４】
請求項１〜３のいずれか一項に記載の検索画面情報の表示方法において、
前記記号画像情報は、同じ階層上に複数配置され、
前記同じ階層上の複数の記号画像情報のうちいずれか１つが選択され、その下層の情報又は関連するデータが表示されている場合に、他の記号画像情報が選択されると、他の記号画像情報の下層の情報又は関連するデータに切り換えられる
ことを特徴とする検索画面情報の表示方法。
【請求項５】
請求項１〜４のいずれか一項に記載の検索画面情報の表示方法において、
前記記号画像情報は、フォルダとして認識可能な画像情報であり、前記識別ラベルは前記フォルダの名称として該フォルダの画像情報の近傍位置に表示される
ことを特徴とする検索画面情報の表示方法。
【請求項６】
検索画面情報を表示する表示装置と、
前記検索画面情報に複数の検索条件を入力可能な入力装置と、
前記検索条件に関連する検索内容情報を有する２以上のデータによって構成されるデータベースを有し、入力された検索条件に合致するデータを取得する情報処理装置と、を備え、
前記情報処理装置の処理に基づき前記検索画面情報に取得されたデータを表示させる検索画面情報処理システムであって、
前記データは、印刷用のコンテンツを面付け可能な型を有する面付テンプレートであり、
前記検索内容情報は、前記面付テンプレートの印刷に供される印刷条件であり、
前記検索画面情報として、前記複数の検索条件に対応した前記印刷条件を入力可能な複数のダイアログボックスを並べて表示させる条件入力画面表示手段と、
前記複数のダイアログボックスのうち未だ選択されていないダイアログボックスを介して１つずつ順次入力された、少なくとも１つの前記印刷条件に基づき前記データベースの中から合致するデータを表示させる検索結果表示手段と、
前記印刷条件に基づく識別ラベルを有する記号画像情報を形成して、前記複数の検索条件の入力順に従って１つずつ階層を構築し、該階層に基づき複数の前記記号画像情報を表示させる階層構造表示手段と、を有する
ことを特徴とする検索画面情報処理システム。
【請求項７】
検索画面情報を表示させ、前記検索画面情報に複数の検索条件を入力可能とし、前記検索条件に関連する検索内容情報を有する２以上のデータによって構成されるデータベースから入力された検索条件に合致するデータを取得し、前記検索画面情報に取得されたデータを表示させるためのプログラムであって、
前記データは、印刷用のコンテンツを面付け可能な型を有する面付テンプレートであり、
前記検索内容情報は、前記面付テンプレートの印刷に供される印刷条件であり、
コンピュータを、
前記検索画面情報として、前記複数の検索条件に対応した前記印刷条件を入力可能な複数のダイアログボックスを並べて表示させる条件入力画面表示手段、
前記複数のダイアログボックスのうち未だ選択されていないダイアログボックスを介して１つずつ順次入力された、少なくとも１つの前記印刷条件に基づき前記データベースの中から合致するデータを表示させる検索結果表示手段、
及び、前記印刷条件に基づく識別ラベルを有する記号画像情報を形成して、前記複数の検索条件の入力順に従って１つずつ階層を構築し、該階層に基づき複数の前記記号画像情報を表示させる階層構造表示手段、
として機能させることを特徴とするプログラム。
【発明の詳細な説明】
【技術分野】
【０００１】
本発明は、情報処理装置において処理された検索結果を表示する検索画面情報の表示方法、検索画面情報処理システム及びそのプログラムに関する。
【背景技術】
【０００２】
従来、コンピュータ等の情報処理装置では、ユーザが入力装置（キーボードやマウス）を介して検索条件を入力すると、コンピュータ内で入力された検索条件に基づく検索処理を行い、表示装置（ディスプレイ）にその検索結果を表示することが行われている。
【０００３】
例えば、ＣＴＰ（Ｃｏｍｐｕｔｅｒ  ｔｏ  ｐｌａｔｅ）においては、コンピュータにおいて印刷条件を設定し、この印刷条件に基づき印刷装置の印刷制御を行う。この場合、コンピュータには、詳細な印刷指示を行うために複数の印刷条件が記憶され、ユーザがコンピュータ内を検索して所望の印刷条件を設定することが行われる（例えば、特許文献１参照）。すなわち、コンピュータは、ユーザにより所定の情報（検索内容情報）が入力されることで、該入力された情報に基づき印刷条件の検索を行い、その検索結果を表示する。なお、本明細書における「入力」とは、検索条件の内容（検索内容情報）をキーワードとして入力する他に、予め記憶されている検索内容情報を選択することも含むものとする。
【０００４】
また、特許文献１には記載がないものの、コンピュータに、前記複数の印刷条件が関連付けられた複数の面付テンプレート情報が記憶されて、所望の面付テンプレート情報を検索することも行われる。ここで、「面付テンプレート」とは、ユーザにより制作された印刷用コンテンツ（ジョブ）の面付けを案内する（貼り付ける）ための定型情報であり、さらに印刷機、版サイズ、用紙サイズ等の印刷条件の情報を有するものである。すなわち、ユーザが所望の面付テンプレートを選択することで、これら印刷条件を同時に選択することができる。
【先行技術文献】
【特許文献】
【０００５】
【特許文献１】特開２００４−２０６５５３号公報
【発明の概要】
【発明が解決しようとする課題】
【０００６】
さて、従来、コンピュータに複数の情報を入力して面付テンプレート（印刷条件を含む）の検索を行う場合は、その検索結果として、複数の面付テンプレートのみが一覧表示されるだけであった。
【０００７】
しかしながら、雑誌やチラシ等の印刷物を印刷する印刷装置に印刷指示を行うコンピュータには、多数の面付テンプレートが記憶されることが一般的であり、検索条件を変更しながら面付テンプレートを検索した場合、全体としてどのような面付テンプレートが存在するかを把握しつつ、検索することが難しい。すなわち、従来の検索画面の表示方法では、複数の検索条件（検索内容情報）により検索を行った場合に、面付テンプレートのみが一覧表示されるだけで、該複数の検索条件（検索内容情報）同士の関係性が判別できない。このため、例えば、一旦面付テンプレートを検索した後に、検索条件を見直して再度面付テンプレートを検索する場合に、どのような検索条件を変更すれば適当であるか、を判別することが困難であった。
【０００８】
本発明は、上記の不都合を解決するためになされたものであり、複数の検索条件の検索内容情報を階層構造として表示し、該階層構造を検索順序に基づき適宜変更することで、検索内容情報の関連性をユーザが容易に認識することが可能となり、これにより、検索の効率化を図ることができる検索画面情報の表示方法、検索画面情報処理システム及びそのプログラムを提供することを目的とする。
【課題を解決するための手段】
【０００９】
前記の目的を達成するために、本発明は、検索画面情報を表示する表示装置と、前記検索画面情報に複数の検索条件を入力可能な入力装置と、前記検索条件に関連する検索内容情報を有する２以上のデータによって構成されるデータベースを有し、入力された検索条件に合致するデータを取得する情報処理装置と、を備え、前記情報処理装置の処理に基づき前記検索画面情報に取得されたデータを表示させる検索画面情報の表示方法であって、前記検索画面情報として、前記複数の検索条件に対応した前記検索内容情報を入力可能な条件入力画像情報を表示し、入力された複数の前記検索内容情報に基づき前記データベースの中から合致するデータを表示し、前記検索内容情報に基づく識別ラベルを有する記号画像情報を形成して、前記複数の検索条件の入力順に従って階層を構築し、該階層に基づき複数の前記記号画像情報を表示することを特徴とする。
【００１０】
上記によれば、複数の検索条件の入力順に従って階層を構築し、該階層に基づき複数の記号画像情報を表示することで、ユーザがデータを検索する場合には、検索画面情報として階層構造の記号画像情報を容易に確認することができる。この場合、検索条件の入力順に従った記号画像情報の関係性、すなわち、検索内容情報の関係性を把握することが可能となる。よって、例えば、データを再検索する場合に、この把握した関係性に基づき検索条件の入力を行えば、検索の効率化を図ることができる。
【００１１】
また、前記検索画面情報として、さらに前記複数の検索条件を入力順に表示することが好ましい。
【００１２】
このように、複数の検索条件を入力順に表示することで、ユーザは容易に検索条件の階層を判別することができる。
【００１３】
さらに、前記検索画面情報として、前記２以上のデータの特徴を識別可能な画像情報をさらに表示することが好ましい。
【００１４】
このように、２以上のデータの特徴を識別可能な画像情報を表示することで、ユーザは、該識別可能な画像情報を視認することができ、所望のデータを容易に見つけることが可能となる。
【００１５】
この場合、前記識別可能な画像情報は縮小表示可能とすることで、情報処理装置の処理負荷を減らすこともできる。
【００１６】
また、前記記号画像情報は、同じ階層上に複数配置され、前記同じ階層上の複数の記号画像情報のうちいずれか１つが選択され、その下層の情報又は関連するデータが表示されている場合に、他の記号画像情報が選択されると、他の記号画像情報の下層の情報又は関連するデータに切り換えられることが好ましい。
【００１７】
このように、階層上に配置された記号画像情報を選択して、その下層の情報又は関連するデータを切り換えることで、ユーザは階層構造に表示された記号画像情報に対し直接的なアクセスを行うことができ、より効率的なデータの検索が可能となる。
【００１８】
さらに、前記記号画像情報は、フォルダとして認識可能な画像情報であり、前記識別ラベルは前記フォルダの名称として該フォルダの画像情報の近傍位置に表示されるとよい。
【００１９】
このように、フォルダの画像情報及びフォルダの名称を表示することで、コンピュータ等の情報処理装置において、従来から使い慣れているフォルダ表示に似せて階層を表示することができ、ユーザの使い勝手が向上する。
【００２０】
またさらに、前記データは、印刷用のコンテンツを面付け可能な型を有する面付テンプレートであり、且つ前記面付テンプレートの印刷に供される印刷条件を有し、前記検索画面情報は、前記検索条件として前記データが有する前記印刷条件が入力可能であるとよい。
【００２１】
このように、データが面付テンプレートと印刷条件を有し、検索条件として印刷条件が入力されることで、印刷において多数用意されることが多い面付テンプレートを容易に検索することができる。
【００２２】
ここで、前記の目的を達成するために、本発明は、検索画面情報を表示する表示装置と、前記検索画面情報に複数の検索条件を入力可能な入力装置と、前記検索条件に関連する検索内容情報を有する２以上のデータによって構成されるデータベースを有し、入力された検索条件に合致するデータを取得する情報処理装置と、を備え、前記情報処理装置の処理に基づき前記検索画面情報に取得されたデータを表示させる検索画面情報処理システムであって、前記検索画面情報として、前記複数の検索条件に対応した前記検索内容情報を入力可能な条件入力画像情報を表示させる条件入力画面表示手段と、入力された複数の前記検索内容情報に基づき前記データベースの中から合致するデータを表示させる検索結果表示手段と、前記検索内容情報に基づく識別ラベルを有する記号画像情報を形成して、前記複数の検索条件の入力順に従って階層を構築し、該階層に基づき複数の前記記号画像情報を表示させる階層構造表示手段と、を有することを特徴とする。
【００２３】
また、前記の目的を達成するために、本発明は、検索画面情報を表示させ、前記検索画面情報に複数の検索条件を入力可能とし、前記検索条件に関連する検索内容情報を有する２以上のデータによって構成されるデータベースから入力された検索条件に合致するデータを取得し、前記検索画面情報に取得されたデータを表示させるためのプログラムであって、コンピュータを、前記検索画面情報として、前記複数の検索条件に対応した前記検索内容情報を入力可能な条件入力画像情報を表示させる条件入力画面表示手段、入力された複数の前記検索内容情報に基づき前記データベースの中から合致するデータを表示させる検索結果表示手段、及び、前記検索内容情報に基づく識別ラベルを有する記号画像情報を形成して、前記複数の検索条件の入力順に従って階層を構築し、該階層に基づき複数の前記記号画像情報を表示させる階層構造表示手段、として機能させることを特徴とする。
【発明の効果】
【００２４】
本発明によれば、複数の検索条件の検索内容情報を階層構造として表示し、該階層構造を検索順序に基づき適宜変更することで、検索内容情報の関連性をユーザが容易に認識することが可能となり、これにより、検索の効率化を図ることができる。
【図面の簡単な説明】
【００２５】
【図１】本実施の形態に係る検索画面情報処理システムの全体構成を示すブロック図である。
【図２】本実施の形態に係る面付テンプレートデータベースの一例を示す表である。
【図３】図１の検索画面情報処理システムによって表示される検索画面情報の説明図である。
【図４】図３の検索画面情報を部分的に取り出した説明図であり、図４Ａは、検索条件メニュー表示領域を示す図、図４Ｂは、ツリー形式表示領域を示す図、図４Ｃは、検索結果表示領域を示す図である。
【図５】図１の検索画面情報処理システムの検索制御プログラムによる動作制御の一例を示すフローチャートである。
【図６】図６Ａは、図４Ａに示す画面の検索条件の入力前の図であり、図６Ｂは、図４Ｂに示す画面の検索条件の入力前の図であり、図６Ｃは、図４Ｃに示す画面の検索条件の入力前の図である。
【図７】図７Ａは、図６Ａに示す画面から１度目の検索条件を入力した図であり、図７Ｂは、図６Ｂに示す画面から１度目の検索条件を入力した図であり、図７Ｃは、図６Ｃに示す画面から１度目の検索条件を入力した図である。
【図８】図８Ａは、図７Ａに示す画面から２度目の検索条件を入力した図であり、図８Ｂは、図７Ｂに示す画面から１度目の検索条件を入力した図であり、図８Ｃは、図７Ｃに示す画面から１度目の検索条件を入力した図である。
【図９】図６〜図８の処理フローの検索条件の入力順「印刷機」→「版サイズ」を「版サイズ」→「印刷機」に変えた場合の説明図であり、図９Ａは、検索条件メニュー表示領域を示す図、図９Ｂは、ツリー形式表示領域を示す図、図９Ｃは、検索結果表示領域を示す図である。
【図１０】フォルダの関係性を概略的に示す説明図であり、図１０Ａは、３つの選択肢ａ〜ｃを有する３つの検索条件Ａ〜Ｂの階層構造を示し、図１０Ｂは、図１０Ａから検索条件Ｂを変更した状態の階層構造の一例を示し、図１０Ｃは、図１０Ａから検索条件Ａを変更した状態の階層構造の一例を示し、図１０Ｄは、図１０Ａから検索条件Ｂを変更した状態の階層構造の別例を示す。
【発明を実施するための形態】
【００２６】
以下、本発明に係る検索画面情報処理システム及びプログラムについて、検索画面情報の表示方法との関係で好適な実施の形態を挙げ、添付の図面を参照して詳細に説明する。
【００２７】
本実施の形態に係る検索画面情報処理システムは、ＣＴＰとして構築される印刷システム内に設けられる。印刷システムは、情報処理装置であるコンピュータから制作したジョブの面付データを送り、所定の印刷装置で印刷を行うシステムとして構成される。この場合、ジョブは、予めデータとして記憶（登録）されている面付テンプレート上にユーザの操作によって（又は自動的に）貼り付けられて、面付データに形成される。この面付テンプレートは、印刷装置が印刷する際の印刷条件を有しており、印刷装置に面付データが送られると、印刷条件も設定され、印刷可能状態とすることもできる。これにより、印刷工程の効率化が図られる。
【００２８】
ここで、面付テンプレートは、複数の印刷条件に対応して、コンピュータに多数記憶される。このため、印刷を行う場合には、所望の面付テンプレートを設定するために、多数の面付テンプレートを複数の検索条件によって絞込み検索して、所望の面付テンプレートを取得することが望ましい。検索画面情報処理システムは、この面付テンプレートを検索する機能を備え、印刷システムに供されるものである。
【００２９】
図１は、本実施の形態に係る検索画面情報処理システム１０の全体構成を示すブロック図である。
【００３０】
検索画面情報処理システム１０は、入力装置１２と、表示装置１４と、コンピュータ１６と、を備え、さらにネットワーク１８を介して、印刷機２０及びサーバ２２に接続される。
【００３１】
入力装置１２は、周知のキーボードやマウスによって構成される。すなわち、コンピュータ１６は、入力装置１２によって、文字や記号等が入力され、また表示装置１４のモニタ画面上に表示されるポインタが移動される。なお、入力装置１２としては、キーボードやマウス以外にも、コンピュータ１６を操作可能な種々の装置（例えば、リモコン、マイク、タッチパネル等）が含まれる。
【００３２】
表示装置１４は、コンピュータ１６の処理情報を表示する周知のディスプレイ（例えば、液晶、有機ＥＬ、プラズマ等）を適用できる。検索画面情報処理システム１０は、表示装置１４のモニタ画面に、後述する検索画面情報１００が表示される。
【００３３】
コンピュータ１６は、検索画面情報処理システム１０において、実際に検索処理を行う装置である。この場合、コンピュータ１６は、ＣＰＵ、メモリ等を備える一般的な情報処理装置を適用することができる。
【００３４】
ネットワーク１８は、イーサネット（登録商標）等の通信規格に基づいて構築される。ネットワーク１８は、コンピュータ１６、印刷機２０及びサーバ２２を相互に接続し、各装置における制御指示に基づき種々のデータの送受信を可能とする。
【００３５】
印刷機２０は、印刷所等の印刷サイトにおいて複数設置される。例えば、複数の印刷機２０は、刷版やインク等の特性が互いに異なるように構成され、ユーザによって、面付データ（ジョブ：図示せず）の印刷に最適な印刷機２０が選択される。そして、選択された印刷機２０に対しコンピュータ１６から印刷指示（面付データ）が送られて、印刷が実施される。なお、本実施の形態のシステムは、印刷機２０とコンピュータ１６と別に備える構成であるが、この構成に限定されないことは勿論であり、例えば、印刷機２０のオペレーションシステムに本実施の形態に係るコンピュータ１６の機能を設けてもよい。
【００３６】
サーバ２２には、コンピュータ１６による印刷制御に用いられる様々な情報（データ）が記憶され、この情報は必要（又は要求）に応じてコンピュータ１６や印刷機２０に送信される。例えば、サーバ２２には、コンピュータ１６内に記憶される面付テンプレートＴのデータベース（以下、面付テンプレートＤＢ２６という）と同様の面付テンプレートＤＢが記憶される。この面付テンプレートＤＢは、ユーザの設定や印刷機２０のメーカ等の更新情報及び追加情報を受け付け、最新の状態でサーバ２２に記憶される。これにより、コンピュータ１６内の面付テンプレートＤＢ２６を簡単に更新することができる。
【００３７】
次に、この面付テンプレートＤＢ２６について具体的に説明する。図２は、本実施の形態に係る面付テンプレートＤＢ２６の一例を示す表である。
【００３８】
面付テンプレートＤＢ２６は、図２に示すように、複数の面付テンプレートＴの情報を有する。なお、説明を容易にするため、図２では、複数の面付テンプレートＴについて、面付テンプレート名として符号Ａ〜Ｏ順に並んだ状態を図示しているが、実施上では、例えば、コンピュータ１６の記憶部に記憶されるファイル名がそのまま表示されてよい。
【００３９】
面付テンプレートＤＢ２６に記憶される面付テンプレートＴは、付随する印刷条件として、印刷機、版サイズ、用紙サイズ、仕上がりサイズ、ワークスタイル、綴じ、顧客名、制作物名称の情報が同時に保持される。コンピュータ１６は面付データ（面付テンプレートＴ）とともに、この印刷条件を印刷機２０に送ることで、印刷機２０の印刷設定を行うことができる。また、それぞれの印刷条件は、面付テンプレートＴを検索する際の検索条件としても利用される。
【００４０】
この印刷条件について具体的に説明すると、「印刷機」とは、複数設けられる印刷機２０と面付テンプレートＴの関係性を示す情報である。すなわち、印刷機Ａとなっている場合は、印刷機Ａに用いられる面付テンプレートＴとなる。
【００４１】
「版サイズ」とは、印刷を行う場合の刷版のサイズ情報である。この場合、「版サイズ」は、印刷機２０や判の大きさによっても種々あるが、例えば、ＣＴＰ刷版の菊全判では、８９６×７１５、９８０×７２５、１００３×８００、１０３０×７７０、１１６０×９４０等が記憶される。
【００４２】
「用紙サイズ」とは、印刷に用いられる用紙（原紙）のサイズの情報である。よって、「用紙サイズ」としては、Ａ判、Ｂ判、四六判、菊判等で提供されるサイズ（１０９１×７８８、９３９×６３６）等が記憶される。
【００４３】
「仕上がりサイズ」とは、面付されたジョブが印刷された場合の用紙サイズの情報である。よって、「仕上がりサイズ」としては、Ａ判やＢ判のサイズ（Ａ４：２１０×２９８、Ａ５：１４８×２１０）等が記憶される。
【００４４】
「ワークスタイル」とは、面付テンプレートＴにおけるジョブの配置や配色の情報である。
【００４５】
「綴じ」とは、印刷物として冊子を製作する場合に、該冊子の綴じ方法（いわゆる、無線綴じ、中綴じ、平綴じ等）の情報である。
【００４６】
「顧客名」とは、印刷を依頼した相手の情報であり、この場合、会社名や氏名等が記憶される。
【００４７】
「制作物名称」とは、印刷によって製作された印刷物の情報であり、例えば、雑誌名や企画名等が記憶される。
【００４８】
このように、面付テンプレートＴは、複数の印刷条件が関連付けられた状態で記憶され、面付テンプレートＤＢ２６によって管理される。そして、面付テンプレートＤＢ２６は、コンピュータ１６の処理に応じて適宜読み出され、面付テンプレートＴの検索に利用される。
【００４９】
コンピュータ１６は、面付テンプレートＴを検索する場合には、検索画面情報１００を表示装置１４に表示して、ユーザに検索条件の入力を促すとともに、検索結果を表示するように構成される。次に、この検索画面情報１００について具体的に説明する。図３は、図１の検索画面情報処理システム１０によって表示される検索画面情報１００の説明図である。
【００５０】
図３に示すように、検索画面情報１００は、複数の領域に分割されて表示される。具体的に、検索画面情報１００は、画面左上側に配置される検索条件メニュー表示領域１０２と、この表示領域１０２の下側で左寄りに配置されるツリー形式表示領域１０４と、これら表示領域１０２、１０４の間に配置される条件入力順表示領域１０６と、表示領域１０４の右側に配置される検索結果表示領域１０８と、表示領域１０２、１０８の右側に配置されるプレビュー表示領域１１０と、表示領域１１０の右側に配置される印刷条件表示領域１１２とに分割される。
【００５１】
検索条件メニュー表示領域１０２は、ユーザに検索条件を入力させるための表示領域である。左側には、複数（図３中では８つ）の検索条件が縦方向に並べられ、右側には、この複数の検索条件に対応する８つダイアログボックス１１４ａ〜１１４ｈが縦方向に並べられる。
【００５２】
検索条件は、上述した面付テンプレートＴに付随する印刷条件に一致する。すなわち、図２及び図３に示すように、検索条件の項目としては「印刷機」、「版サイズ」、「用紙サイズ」、「仕上がりサイズ」、「ワークスタイル」、「綴じ」、「顧客名」、「制作物名称」が表示される。ダイアログボックス１１４ａ〜１１４ｈには、それぞれ検索条件に対応する複数の選択肢（検索内容情報）が記憶される。例えば、検索条件の項目「印刷機」には、「印刷機Ａ」、「印刷機Ｂ」、「印刷機Ｃ」の選択肢（検索内容情報）が記憶され、ユーザはダイアログボックス１１４ａを操作することで、所望の印刷機２０を選択することができる。
【００５３】
ツリー形式表示領域１０４は、ユーザが検索を行う検索条件を階層構造（ツリー形状）として表示する領域である。この場合、ツリー形式表示領域１０４内では、検索条件の選択肢（検索内容情報）に対応したフォルダ記号（以下、単にフォルダＦという）が表示される。また、フォルダＦの右側には、フォルダ名として選択肢（検索内容情報）が表示される。そして、検索条件の入力順（設定順）に応じて階層が設定されていき、図３に示すような階層構造が形成される。このツリー形式表示領域１０４の階層構造の具体的な生成方法については後述する。なお、ツリー形式表示領域１０４に形成されるフォルダＦは、ユーザが認識し易いように表現するものであり、実際にフォルダＦの情報をコンピュータ１６内に形成していくものではない。
【００５４】
条件入力順表示領域１０６は、ユーザが入力した検索条件を順次表示していく領域である。具体的には、検索条件メニュー表示領域１０２において、最初に選択を行った検索条件の項目が、第１回条件として最も左側に表示される。そして、次に選択を行った検索条件の項目が、第２回条件として第１回条件の隣に表示される。この場合、隣接する項目の間には上位と下位の検索順を容易に認識できるように不等号＞が表示される。
【００５５】
検索結果表示領域１０８は、ユーザが入力した検索条件に基づき、コンピュータ１６が面付テンプレートＤＢ２６内の検索を行った場合に、その検索結果を表示する領域である。すなわち、検索結果として検索条件に合致する面付テンプレートＴだけが、検索結果表示領域１０８に一覧表示される。したがって、ユーザはこの検索結果表示領域１０８に並べられた面付テンプレートＴを選択することで、所望の面付テンプレートＴを設定することができる。
【００５６】
プレビュー表示領域１１０は、ユーザの指示等により（又は自動的に）面付テンプレートＴのプレビューを複数（図３中では３つ）表示する画面である。面付テンプレートＴのプレビューは、記憶部に記憶されている面付テンプレートＴから、例えば、面付の枠やページ数情報を取り出して表示させると処理を迅速に行うことができる。
【００５７】
このプレビュー表示領域１１０は、検索結果表示領域１０８と関連付けされており、検索結果表示領域１０８で並べられた面付テンプレートＴのプレビューが生成され、プレビュー表示領域１１０に表示される。ここで、検索された面付テンプレートＴが４つ以上ある場合は、上位３つの面付テンプレートＴのプレビューを表示すればよい。また、ユーザがプレビューを確認したい面付テンプレートＴを選択してそのプレビューを表示してもよい。
【００５８】
印刷条件表示領域１１２は、プレビュー表示領域１１０においてプレビュー表示された面付テンプレートＴの印刷条件を表示する領域である。このように、プレビュー表示の隣に印刷条件を並べて表示することで、ユーザは面付テンプレートＴの印刷条件を容易に確認することができる。この場合、印刷条件表示領域１１２には、検索条件として検索されていない面付テンプレートＴの印刷条件を表示することが好ましい。これにより、ユーザは、自身が選択していない印刷条件を面付テンプレートＴのプレビューと一緒に確認することができ、面付テンプレートＴをより効率的に選択することができる。
【００５９】
図１に戻り、コンピュータ１６には、上述した検索画面情報１００を生成するために、メモリ（図示せず）に検索制御プログラム２４、面付テンプレートＤＢ２６が記憶される。すなわち、面付テンプレートＴの検索を実施する場合には、コンピュータ１６のＣＰＵ（図示せず）が検索制御プログラム２４を起動して、検索画面情報１００を表示する。
【００６０】
また、検索制御プログラム２４は、起動にともない各種の処理部や記憶部を構築して検索処理を行う。この場合、検索画面情報１００の表示も、処理に基づき変更していく。具体的に、コンピュータ１６の内部には、階層表示生成部２８、条件入力画面設定部３０、条件設定部３２、テンプレート絞込み部４６、テンプレート一覧設定部４８、プレビュー生成部５０、プレビュー設定部５２、画面情報生成部５４が設けられる。また、階層表示生成部２８の内部には、条件記憶部３４、フォルダ形成部３６、フォルダ表示設定部３８、条件入力順記憶部４０、階層生成部４２、階層表示設定部４４が設けられる。
【００６１】
次に、コンピュータ１６に設けられる各処理部の構成について、図１及び図４を参照して説明していく。図４は、図３の検索画面情報１００を部分的に取り出した説明図であり、図４Ａは、検索条件メニュー表示領域１０２を示す図、図４Ｂは、ツリー形式表示領域１０４を示す図、図４Ｃは、検索結果表示領域１０８を示す図である。
【００６２】
条件入力画面設定部３０は、検索条件メニュー表示領域１０２の表示を形成する機能を有する。すなわち、面付テンプレートＴの印刷条件に応じて、検索条件の項目（図４Ａ中の画面左側）を設定し、この項目に対応してダイアログボックス１１４ａ〜１１４ｈを配置し、各ダイアログボックス１１４ａ〜１１４ｈ内の選択肢（検索内容情報）を設定する。
【００６３】
また、条件入力画面設定部３０は、条件設定部３２及び画面情報生成部５４に接続され、画面情報生成部５４には、検索条件メニュー表示領域１０２の画像情報を送信し、条件設定部３２には、ユーザが検索条件のダイアログボックスを操作した場合に、操作された検索条件の情報（検索条件の項目及び選択肢：以下、単に検索条件情報ともいう）を送信する。
【００６４】
条件設定部３２は、上記条件入力画面設定部３０の他に、入力装置１２、条件記憶部３４及び条件入力順記憶部４０に接続され、ユーザが入力装置１２を介して入力（選択）する検索条件を受け、条件記憶部３４及び条件入力順記憶部４０に記憶（設定）する。この際、条件設定部３２は、条件入力画面設定部３０にユーザの操作内容の情報を送信して、該条件入力画面設定部３０から検索条件情報を受信する。これにより、条件入力画面設定部３０は、操作内容を所定のダイアログボックスに反映して、ユーザが選んだ選択肢（検索内容情報）を表示させる（図６〜図８も参照）。
【００６５】
次に、ツリー形式表示領域１０４及び条件入力順表示領域１０６の表示方法について説明する。これらの領域１０４、１０６の表示は、階層表示生成部２８によって生成される。
【００６６】
条件記憶部３４は、条件設定部３２から送られてきた、検索条件情報を記憶する。この場合、ユーザが選択した検索条件の選択肢だけでなく、検索条件内の全ての選択肢を記憶する。記憶された検索条件情報は、フォルダ形成部３６及びテンプレート絞込み部４６に読み出され、その処理に用いられる。
【００６７】
フォルダ形成部３６は、条件記憶部３４から検索条件情報を読み出すと、検索条件の項目（例えば、「印刷機」）に対応する全ての選択肢（例えば、「印刷機Ａ」、「印刷機Ｂ」、「印刷機Ｃ」）のフォルダＦを形成する。この場合、フォルダＦの名称（ラベル）は、選択肢の名称が反映される。これにより、検索条件に関連付けされる選択肢が全てフォルダ表示可能となる。
【００６８】
一方、条件入力順記憶部４０には、条件設定部３２からユーザによって選択された検索条件が順次送られる。条件入力順記憶部４０は、この検索条件の入力順（以下、入力順情報ともいう）を記憶する。記憶された入力順情報は、階層生成部４２に読み出され、その処理に用いられる。
【００６９】
階層生成部４２は、条件入力順記憶部４０からの入力順情報を読み出すと、該入力順情報に基づき階層構造を形成する。すなわち、図４Ｂに示すように、ツリー形式表示領域１０４の列方向に、検索条件の入力順に応じて階層領域を順次形成していく。
【００７０】
具体的に、上位階層領域１０４ａには、初期状態のフォルダ（名称「Ｔｅｍｐｌａｔｅ」）が配置され、隣接する第１階層領域１０４ｂには、１度目に選択された検索条件（以下、第１回条件という）が配置される。また、第１階層領域１０４ｂに隣接する第２階層領域１０４ｃには、２度目に選択された検索条件（以下、第２回条件という）が配置される。さらに、第２階層領域１０４ｃに隣接する第２階層領域１０４ｄには、３度目に選択された検索条件（以下、第３回条件という）が配置される。以下同様に、階層領域情報が列方向に順次形成されていく。
【００７１】
フォルダ表示設定部３８には、フォルダ形成部３６が形成したフォルダＦの情報と、階層生成部４２が形成した階層領域の情報とが送信される。フォルダ表示設定部３８は、これらの情報を受け取ると、ツリー形式表示領域１０４に階層構造を形成する。
【００７２】
具体的には、先ず、フォルダ形成部３６及び階層生成部４２からの各情報に基づき、第１階層領域１０４ｂに第１回条件の検索条件が有する選択肢（検索内容情報）のフォルダを配置する。この場合、図４Ｂに示される第１階層条件名Ａ〜第１階層条件名Ｃには、選択肢の名称が表示される。
【００７３】
次に、フォルダ形成部３６及び階層生成部４２から再度情報が送信され、この情報に基づき、第２階層領域１０４ｃに第２回条件の検索条件が有する選択肢（検索内容情報）のフォルダを配置する。この場合、図４Ｂに示される第２階層条件名Ａ〜第２階層条件名Ｅには、第２回条件の選択肢の名称が表示される。
【００７４】
フォルダ表示設定部３８は、検索条件の入力毎にツリー形式表示領域１０４の画像情報を生成し、該画像情報を画面情報生成部５４に送信する。
【００７５】
一方、階層表示生成部２８の階層表示設定部４４には、階層生成部４２から第１回条件の情報、第２回条件の情報、…が順次送られる。階層表示設定部４４は、第１回条件の情報を受け取ると、該第１回条件に基づきその検索条件の項目を表示させる。次に、第２回条件の情報を受け取ると、第１回条件の検索条件の項目の隣に不等号＞を入れて、該第２回条件の検索条件の項目を表示させる。以下、同様の処理を行うことでユーザによって選択された検索条件を表示させていく。
【００７６】
また、テンプレート絞込み部４６は、条件記憶部３４から検索条件情報を受け取ると、面付テンプレートＤＢ２６を参照して検索条件情報に合致する印刷条件の絞込み（検索）を行う。これにより、ユーザが選択した検索条件に合致する面付テンプレートＴのみが抽出され、抽出された面付テンプレートＴの情報がテンプレート一覧設定部４８及びプレビュー生成部５０に送られる。
【００７７】
テンプレート一覧設定部４８は、検索結果表示領域１０８の表示画面を形成する。すなわち、テンプレート絞込み部４６から抽出された面付テンプレートＴの情報を受けると、この情報に基づき、検索条件に合致する面付テンプレートＴの一覧を形成する。
【００７８】
また、プレビュー生成部５０は、プレビュー画像を形成する。すなわち、抽出された面付テンプレートＴの情報を受けると該面付テンプレートＴの情報からプレビュー情報（面付テンプレートＴの枠とページ数）を形成する。また、これと同時に、条件記憶部３４に記憶された検索条件情報を読み出し、この検索条件情報と面付テンプレートＤＢ２６を参照して、選択されていない印刷条件（検索条件）の残り情報を抽出する。
【００７９】
プレビュー設定部５２は、プレビュー生成部５０からプレビュー情報と残り情報を受けると、プレビュー表示領域１１０及び印刷条件表示領域１１２の表示画面を形成する。形成された表示画面（プレビュー表示領域１１０、印刷条件表示領域１１２）は、画面情報生成部５４に送られる。
【００８０】
画面情報生成部５４は、最終的に表示装置１４のモニタ画面に表示される検索画面情報１００を形成する。この場合、条件入力画面設定部３０からの検索条件メニュー表示領域１０２、フォルダ表示設定部３８からのツリー形式表示領域１０４、階層表示設定部４４からの条件入力順表示領域１０６、テンプレート一覧設定部４８からの検索結果表示領域１０８、プレビュー設定部５２からのプレビュー表示領域１１０、印刷条件表示領域１１２を統合した画面情報（図３参照）が生成される。
【００８１】
本実施形態に係る検索画面情報処理システム１０は、基本的には以上のように構成されるものであり、次に本検索画面情報処理システム１０を用いた動作について説明する。図５は、図１の検索画面情報処理システム１０の検索制御プログラム２４による動作制御の一例を示すフローチャートである。図６Ａは、図４Ａに示す画面の検索条件の入力前の図であり、図６Ｂは、図４Ｂに示す画面の検索条件の入力前の図であり、図６Ｃは、図４Ｃに示す画面の検索条件の入力前の図である。図７Ａは、図６Ａに示す画面から１度目の検索条件を入力した図であり、図７Ｂは、図６Ｂに示す画面から１度目の検索条件を入力した図であり、図７Ｃは、図６Ｃに示す画面から１度目の検索条件を入力した図である。図８Ａは、図７Ａに示す画面から２度目の検索条件を入力した図であり、図８Ｂは、図７Ｂに示す画面から１度目の検索条件を入力した図であり、図８Ｃは、図７Ｃに示す画面から１度目の検索条件を入力した図である。
【００８２】
コンピュータ１６は、印刷機２０によって印刷を行う場合に、ユーザによって入力装置１２が操作されることで、検索制御プログラム２４が起動される。そして、コンピュータ１６は、起動された検索制御プログラム２４の処理フロー（例えば、図５のフロー）が実施される。なお、以降に説明する検索制御プログラム２４の処理フローは、本発明に係る表示方法（表示処理）の一例に過ぎないことは勿論であり、特に、検索条件や選択肢はユーザの判断によって自由に設定することが可能である。
【００８３】
先ず、コンピュータ１６（画面情報生成部５４）は、表示装置１４のモニタ画面に、検索画面情報１００の初期状態を表示する（図５のステップＳ１）。この場合、図６Ａに示すように、検索条件メニュー表示領域１０２には、検索条件の項目（「印刷機」、「版サイズ」、「用紙サイズ」、「仕上がりサイズ」、「ワークスタイル」、「綴じ」、「顧客名」、「制作物名称」）とダイアログボックス１１４ａ〜１１４ｈが隣り合うように並べられ、該ダイアログボックス１１４ａ〜１１４ｈは何も選択されていない状態（空白）が表示される。
【００８４】
また、図６Ｂに示すように、ツリー形式表示領域１０４には、上位階層領域１０４ａに、フォルダ「Ｔｅｍｐｌａｔｅ」のみが表示される。また、初期状態では、条件入力順表示領域１０６、プレビュー表示領域１１０及び印刷条件表示領域１１２には、検索条件や面付テンプレートＴの選択等がなされていないため、何も表示されない。図６Ｃに示すように、検索結果表示領域１０８には、検索条件が選択されていないことで、全ての面付テンプレートＴの一覧が表示される。
【００８５】
次に、ユーザが入力装置１２を介して、検索条件のうち項目「印刷機」に関連するダイアログボックス１１４ａを操作することで、最初の検索条件として「印刷機Ａ」が設定される（図５のステップＳ２）。この場合、ダイアログボックス１１４ａには、条件入力画面設定部３０により「印刷機Ａ」が表示される（図７Ａ参照）。そして、条件設定部３２は、「印刷機Ａ」の選択情報を条件記憶部３４に記憶（設定）し、検索条件の項目「印刷機」が第１回条件として条件入力順記憶部４０に記憶（設定）する。
【００８６】
また、階層表示生成部２８は、検索条件の項目「印刷機」において選択肢であった「印刷機Ａ」、「印刷機Ｂ」、「印刷機Ｃ」の名称からなるフォルダＦを形成し、これらのフォルダＦを、ツリー形式表示領域１０４の第１階層領域１０４ｂに並べて配置（表示）する（図５のステップＳ３：図７Ｂ参照）。また、階層表示生成部２８は、第１回条件（検索条件）の項目「印刷機」を条件入力順表示領域１０６に表示する。
【００８７】
さらに、テンプレート一覧設定部４８は、「印刷機Ａ」の選択肢に合致する面付テンプレートＴを表示させる（図５のステップＳ４：図７Ｃ参照）。この場合、テンプレート絞込み部４６において、条件記憶部３４に記憶された「印刷機Ａ」の選択肢を参照して、面付テンプレートＤＢ２６から絞り込む。すなわち、図２に示す面付テンプレートＤＢでは、「印刷機Ａ」の情報を有する面付テンプレートＡ、Ｄ、Ｇ、Ｊ、Ｍが絞り込まれ（検索され）、この絞込み結果がテンプレート一覧設定部４８に送られて検索結果表示領域１０８に表示される。
【００８８】
次に、ユーザが入力装置１２を介して、検索条件のうち項目「版サイズ」に関連するダイアログボックス１１４ｂを操作することで、２回目の検索条件として「１０３０×７７０」が設定される（図５のステップＳ５）。すなわち、ダイアログボックス１１４ｂには「１０３０×７７０」が表示される（図８Ａ参照）。これにより、条件設定部３２は、「１０３０×７７０」の選択情報を条件記憶部３４に記憶（設定）し、検索条件の項目「版サイズ」が第２回条件であることを条件入力順記憶部４０に記憶（設定）する。
【００８９】
この場合、階層表示生成部２８は、項目「版サイズ」において選択肢であった「８９６×７１５」、「９８０×７２５」、…、「１１６０×９４０」の名称からなるフォルダＦを形成し、これらのフォルダＦを、「印刷機Ａ」のフォルダＦの下側で、且つ第２階層領域１０４ｃに並べて配置（表示）する（ステップＳ６：図８Ｂ参照）。また、階層表示生成部２８は、第２回条件である項目「版サイズ」を、記号「＞」を挟んで、項目「印刷機」の隣に表示する。
【００９０】
さらに、テンプレート一覧設定部４８は、「１０３０×７７０」の選択肢に合致する面付テンプレートＴを表示させる（図５のステップＳ７：図８Ｃ参照）。この場合、テンプレート絞込み部４６において、条件記憶部３４に記憶された「印刷機Ａ」に加えて「１０３０×７７０」の選択肢を参照して、面付テンプレートＤＢ２６から絞り込む。すなわち、図２に示す面付テンプレートＤＢ２６では、「印刷機Ａ」、「１０３０×７７０」の情報を有する面付テンプレートＡ、Ｇ、Ｍが絞り込まれ（検索され）、この絞込み結果がテンプレート一覧設定部４８に送られて検索結果表示領域１０８に表示される。ユーザは、この検索結果表示領域１０８に表示される面付テンプレートＴの数等に基づき、印刷条件をさらに設定するか否かを判断することができる。
【００９１】
次いで、ユーザの入力装置１２の操作によって、面付テンプレートＴのプレビューを行うか否かが判断される（図５のステップＳ８）。ユーザからのプレビュー指示がある場合は、ステップＳ９に進み、プレビュー指示がない場合は、ステップＳ９を飛ばしてステップＳ１０に進む。
【００９２】
ステップＳ９では、プレビュー生成部５０が、テンプレート絞込み部４６からの検索結果を受けて、該検索結果に基づく面付テンプレートＴを読み出してプレビュー画像を生成する。例えば、図７Ｃに示すように、検索結果として面付テンプレートＴが３つに絞り込まれた場合は、この３つの面付テンプレートＴをプレビュー表示領域１１０に表示する。また、プレビュー生成部５０は、検索結果に基づき検索されていない（選択されていない）印刷条件を判別し、プレビュー表示領域１１０ａ〜１１０ｃに表示される面付テンプレートＴに対応して、検索されていない印刷条件を印刷条件表示領域１１２に表示する。
【００９３】
そして、コンピュータ１６では、ユーザが検索結果表示領域１０８に表示された面付テンプレートＴを選択したか否かが判別される（図５のステップＳ１０）。
【００９４】
面付テンプレートＴが選択された場合は、その面付テンプレートＴを印刷機２０に送信するか否かを、別のウインドウで表示してユーザに最終的な判断を促し、ユーザの指示によって印刷機２０に面付テンプレートＴを送信する（図５のステップＳ１１）。これにより、印刷機２０には、所望の面付テンプレートＴが設定され、印刷準備等の工程を挟んで、印刷工程が実施される。
【００９５】
最後に、コンピュータ１６では、検索制御プログラム２４による動作終了の処理がなされて（図５のステップＳ１２）、検索制御フローが終了する。
【００９６】
以上のように、コンピュータ１６（検索制御プログラム２４）は、ユーザにより検索条件が順次入力されることで、検索条件の選択肢（検索画面情報）のフォルダＦを形成し、該フォルダＦを入力順毎の階層構造（ツリー状）に配置する。これにより、検索条件の選択肢が互いに関連した階層構造をツリー形式表示領域１０４に表示することができる。すなわち、上述したステップＳ１〜Ｓ１２の処理フローでは、検索条件の項目「印刷機」を上位とし、該「印刷機」の下位に項目「版サイズ」が配置されるツリー形状に形成される。
【００９７】
図９は、図６〜図８の処理フローの検索条件の入力順を「印刷機」→「版サイズ」から「版サイズ」→「印刷機」に変えた場合の説明図であり、図９Ａは、検索条件メニュー表示領域１０２を示す図、図９Ｂは、ツリー形式表示領域１０４を示す図、図９Ｃは、検索結果表示領域１０８を示す図である。
【００９８】
ここで、検索条件の「印刷機」→「版サイズ」から「版サイズ」→「印刷機」に変えた場合、検索条件メニュー表示領域１０２及び検索結果表示領域１０８の表示内容には変更が生じないが、ツリー形式表示領域１０４の表示が大きく変更されることになる。すなわち、図９Ａに示すように、検索条件の設定順を変えたとしても、検索条件メニュー表示領域１０２では、２つの検索条件の項目「印刷機」及び「版サイズ」が選択されると、図８Ａの検索条件メニュー表示領域１０２と同じように表示される。同様に、検索結果表示領域１０８も、２つの検索条件の項目「印刷機」及び「版サイズ」が選択されると、同じ絞込み（検索）が実施されることになるため、図８Ｃの検索結果表示領域１０８と同じ面付テンプレートＴの一覧が表示される。
【００９９】
一方、ツリー形式表示領域１０４では、図９Ｂに示すように、第１階層領域１０４ｂに検索条件の項目「版サイズ」の選択肢のフォルダＦ（「８９６×７１５」、「９８０×７２５」、…、「１１６０×９４０」）が配置される。そして、第２階層領域１０４ｃに検索条件の項目「印刷機」の選択肢のフォルダＦ（「印刷機Ａ」、「印刷機Ｂ」、「印刷機Ｃ」）が配置される。したがって、図９のツリー形式表示領域１０４は、図８Ｂのツリー形式表示領域１０４とは異なる表示となり、検索条件の選択においてどのような条件を優先的に検索したのかを容易に判別することが可能となる。
【０１００】
これは、例えば、面付テンプレートＴが多数（例えば、１００以上）記憶されており、多数（例えば、３つ以上）の検索条件を入力して検索を行う場合に、特に大きな利点がある。すなわち、従来は、多数の検索条件を入力すると、何の検索条件を優先的に検索したのか忘れてしまい、その結果、面付テンプレートＴの検索を再度行う場合に、最初から検索をやり直す機会が多かった。
【０１０１】
これに対し、本実施の形態に係る検索画面情報処理システム１０（表示方法）によれば、検索条件に基づく選択肢がツリー形状となって表示されるため、検索時にどの検索条件を優先したのか、又は選択しなかった他の選択肢とどのような関係性にあるのかを容易に認識することができる。これにより、面付テンプレートＴの検索効率を大幅に向上することができる。
【０１０２】
次に、ツリー形式表示領域１０４において、一旦フォルダＦの階層構造が構築された後（すなわち、図５のステップＳ７以降）、印刷条件を変更する場合について説明する。以下、理解を容易にするために、印刷条件をＡ〜Ｃで表し、該印刷条件Ａ〜Ｃが有する選択肢（検索内容情報）をａ〜ｃで表し、説明においてフォルダＦ又は検索内容情報を特定する場合は、印刷条件Ａ〜Ｃと選択肢ａ〜ｃをハイフンで繋げて表す（例えば、フォルダＡ−ａ、フォルダＡ−ｂ、…と表す）ことにする。
【０１０３】
図１０は、フォルダＦの関係性を概略的に示す説明図であり、図１０Ａは、３つの選択肢ａ〜ｃを有する３つの検索条件Ａ〜Ｂの階層構造を示し、図１０Ｂは、図１０Ａから検索条件Ｂを変更した状態の階層構造の一例を示し、図１０Ｃは、図１０Ａから検索条件Ａを変更した状態の階層構造の一例を示し、図１０Ｄは、図１０Ａから検索条件Ｂを変更した状態の階層構造の別例を示す。
【０１０４】
以下の説明では、その前提として、ユーザによる入力装置１２の入力操作に基づき、印刷条件がＡ、Ｂ、Ｃの順に入力（すなわち第１回条件として印刷条件Ａ、第２回条件として印刷条件Ｂ、第３回条件として印刷条件Ｃが設定）される。そして、印刷条件Ａにおいては選択肢ａが選択され、印刷条件Ｂにおいては選択肢ｂが選択され、印刷条件Ｃにおいては選択肢ｃが選択されたものとする。
【０１０５】
この場合、ツリー形式表示領域１０４には、階層表示生成部２８により、図１０Ａに示すような階層構造が構築されて表示装置に表示される。具体的に、第１階層領域１０４ｂには印刷条件Ａの選択肢ａ〜ｃが配置され、この印刷条件Ａで選択された選択肢ａに関わるフォルダＡ−ａが開いている。なお、フォルダＡ−ｂ及びフォルダＡ−ｃは、フォルダＡ−ａが開くことによって、フォルダ位置が下側に移動する。
【０１０６】
また、第２階層領域１０４ｃには、印刷条件Ｂの選択肢ａ〜ｃが配置され、この印刷条件Ｂで選択された選択肢ｂに関わるフォルダＢ−ｂが開いている。さらに、第３階層領域１０４ｄには、印刷条件Ｃの選択肢ａ〜ｃが配置され、この印刷条件Ｃで選択された選択肢ｃに関わるフォルダＢ−ｂが選択（図１０Ａ中では、便宜的に枠線Ｘで表示する）されている。これにより、条件入力順表示領域１０６には、「印刷条件Ａ＞印刷条件Ｂ＞印刷条件Ｃ」の表示がなされる。また、検索結果表示領域１０８には、フォルダＡ−ａ、Ｂ−ｂ、Ｃ−ｃの印刷条件を有する面付テンプレートＴの一覧が表示される。
【０１０７】
この表示状態から、例えば、印刷条件Ｃについて、選択肢ｃから選択肢ａに変更した場合は、階層構造のツリー形状が変化することなく、選択を示す枠線ＸがフォルダＣ−ａに移動することになる。すなわち、階層が最も右側に展開される印刷条件内の選択肢の変更は、ツリー形状に変化を及ぼさない。
【０１０８】
これに対し、図１０Ｂに示すように、印刷条件Ｂの選択肢を変更した場合（以下の説明では、選択肢ｂ→選択肢ｃに変更）はツリー構造が変更される。具体的に、印刷条件Ｂを変更する場合には、第２回条件が変更されるため、第３回条件であった印刷条件Ｃが第２階層領域に繰り上がる、すなわち、第２回条件に移動する。そして、新たに変更される印刷条件Ｂが第３回条件となる。
【０１０９】
したがって、２階層領域１０４ｃには、印刷条件Ｃの選択肢ａ〜ｃが配置され、この印刷条件Ｃで選択された選択肢ｃに関わるフォルダＣ−ｃが開く。さらに、第３階層領域１０４ｄには、印刷条件Ｂの選択肢ａ〜ｃが配置され、この印刷条件Ｂで選択された選択肢ａに関わるフォルダＢ−ａが選択される。その結果、検索結果表示領域１０８には、フォルダＡ−ａ、Ｂ−ａ、Ｃ−ｃの印刷条件を有する面付テンプレートＴの一覧が表示される。この場合、条件入力順表示領域１０６の表示も、印刷条件Ａ＞印刷条件Ｃ＞印刷条件Ｂに変更される。
【０１１０】
また、図１０Ｃに示すように、印刷条件Ａの選択肢を変更した場合（以下の説明では、選択肢ａ→選択肢ｂに変更）も、当然、ツリー構造が変更される。具体的に、印刷条件Ａを変更する場合には、第１回条件が変更されるため、第２回条件であった印刷条件Ｂが第１回条件（第１階層領域）に繰り上がり、第３回条件であった印刷条件Ｃが第２回条件（第２階層領域）に繰り上がることになる。そして、新たに変更される印刷条件Ａが第３回条件となる。
【０１１１】
したがって、第１階層領域１０４ｂでは、印刷条件Ｂの選択肢ａ〜ｃが配置され、フォルダＢ−ｂが開く。また、第２階層領域１０４ｃでは、印刷条件Ｃの選択肢ａ〜ｃが配置され、フォルダＣ−ｃが開く。さらに、第３階層領域１０４ｄでは、印刷条件Ａで選択された選択肢ｂに関わるフォルダＡ−ｂが選択される。その結果、検索結果表示領域１０８には、フォルダＡ−ｂ、Ｂ−ｂ、Ｃ−ｃの印刷条件を有する面付テンプレートＴの一覧が表示される。この場合、条件入力順表示領域１０６の表示も、印刷条件Ａ＞印刷条件Ｃ＞印刷条件Ｂに変更される。
【０１１２】
このように、最右層の階層よりも左側の階層の印刷条件を変更する場合は、印刷条件の入力順が変わるため、それに応じてツリー形状が適宜変更される。したがって、ツリー形式表示領域１０４には、印刷条件Ａ〜Ｃを入力した順のツリー形状が表示され、他の印刷条件との関連性を認識することができる。例えば、最右層の印刷条件がどのような印刷条件の選択によって絞り込まれたものであるかが一見して認識することが可能となる。
【０１１３】
また、検索画面情報処理システム１０は、図１０Ｄに示すように、所定の操作（メニューからの設定）によって、階層構造を変更しない構成としてもよい。すなわち、印刷条件Ｂを選択肢ｂ→選択肢ａに変更した場合は、第２階層領域１０４ｃにおいてフォルダＢ−ａが開くことになる。この場合、検索条件メニュー表示領域１０２側の印刷条件Ｃは選択肢ｃのまま変更されていないため、フォルダＢ−ａによって開く印刷条件Ｃの選択肢ａ’〜ｃ’は、フォルダＣ−ｃ’が開くようになる。したがって、検索結果表示領域１０８には、フォルダＡ−ｂ、Ｂ−ａ、Ｃ−ｃ’の印刷条件を有する面付テンプレートＴの一覧が表示される。
【０１１４】
このように、印刷条件の階層を変更しない場合は、上位の階層の印刷条件を変更することで、それよりも下位の階層の印刷条件を大幅に変更することができ、新たに設定された複数の印刷条件の関連性を容易に確認することができる。
【０１１５】
なお、例えば、特定の顧客から定常的に多くの印刷物を受注している場合は、検索条件の項目において「顧客」や「制作物名称」を優先的に選択することで、容易に面付テンプレートを検索することが可能となる。この場合、ツリー形式表示領域１０４において、例えば項目「顧客」の下位層に「制作物名称」を表示させると、相互の関連性を容易に把握することも可能となる。
【０１１６】
以上のように、本実施の形態に係る検索画面情報処理システム１０によれば、複数の検索条件の入力順に従って検索画面情報１００の検索条件メニュー表示領域１０２に階層構造を構築し、該階層構造に基づきフォルダＦを表示することができる。これにより、ユーザが面付テンプレートＴを検索する場合には、階層構造（ツリー形状）に配置されたフォルダの情報（選択肢）を容易に確認することができる。この場合、検索条件の入力順に従ったフォルダの関係性、すなわち、検索条件の選択肢（検索内容情報）の関係性を把握することが可能となる。よって、例えば、データを再検索する場合に、この把握した関係性に基づき検索条件の入力を行えば、検索の効率化を図ることができる。
【０１１７】
また、条件入力順表示領域１０６において、複数の検索条件を入力順に表示することで、ユーザは容易に検索条件の階層を判別することができる。
【０１１８】
さらに、プレビュー表示領域１１０において、複数の面付テンプレートＴをプレビュー表示することで、ユーザは、プレビューを視認して、所望の面付テンプレートＴを容易に見つけることが可能となる。この場合、面付テンプレートＴのプレビューを縮小表示可能とすることで、コンピュータ１６の処理負荷を減らすこともできる。
【０１１９】
ここで、階層構造に配置されたフォルダＦは、ユーザがポインタ等を合わせることで選択できるように構成してもよい。この場合、選択されたフォルダＦ（選択肢）は、その下層にあるフォルダを表示させてもよく、また選択肢に基づく検索結果を検索結果表示領域１０８に表示させてもよい。このように構成することで、ユーザは階層構造に表示されたフォルダＦに対し直接的なアクセスを行うことができ、より効率的なデータの検索が可能となる。
【０１２０】
また、検索画面情報処理システム１０は、フォルダＦの画像情報及びフォルダＦの名称を表示することで、コンピュータにおいて、従来から使い慣れているフォルダ表示に似せて階層構造を表示することができ、ユーザの使い勝手が向上する。
【０１２１】
なお、本発明は、上述の実施の形態に限らず、本発明の要旨を逸脱することなく、種々の構成を採り得ることは勿論である。
【符号の説明】
【０１２２】
１０…検索画面情報処理システム
１２…入力装置
１４…表示装置
２４…検索制御プログラム
２６…面付テンプレートデータベース
２８…階層表示生成部
３０…条件入力画面設定部
３２…条件設定部
３４…条件記憶部
４０…条件入力順記憶部
１００…検索画面情報
１０２…検索条件メニュー表示領域
１０４…ツリー形式表示領域
１０６…条件入力順表示領域
１０８…検索結果表示領域
１１０…プレビュー表示領域
１１２…印刷条件表示領域
【図１】
0005469144.tif 000002
【図２】
0005469144.tif 000003
【図３】
0005469144.tif 000004
【図４】
0005469144.tif 000005
【図５】
0005469144.tif 000006
【図６】
0005469144.tif 000007
【図７】
0005469144.tif 000008
【図８】
0005469144.tif 000009
【図９】
0005469144.tif 000010
【図１０】
0005469144.tif 000011